(57)【特許請求の範囲】
【請求項１】
左右方向に離間する一対のローラ(60,60)が下部に回動可能に配設されたスライド扉(38,40)が、本体(12)に開設した開口部(12a)の内周下部に配設されて左右方向に延在する下レール(42)に前記ローラ(60,60)を介してスライド可能に支持され、該スライド扉(38,40)を下レール(42)に沿って左右方向へスライドすることで前記開口部(12a)を開閉するよう構成した貯蔵庫において、
前記下レール(42)には、前記開口部(12a)に対する全閉位置に臨むスライド扉(38,40)における開口部(12a)の左右何れか一方の内縁側に近接する一方のローラ(60)のみが落着する落込部(61)が形成され、
前記本体(12)に内部画成された収納室(22)に貯蔵物等が収納されていない無負荷状態で、前記一方のローラ(60)のみが落込部(61)に落着したときのスライド扉(38,40)は、前記収納室(22)に貯蔵物等が収納されて負荷状態となったときに前記下レール(42)が下方に撓むことで該スライド扉(38,40)が傾動する向きとは逆向きであるスライド扉(38,40)における一方のローラ(60)側の上部端が前記開口部(12a)における前記一方の内縁側に近接する向きに所定角度で傾くよう設定され、
前記スライド扉(38,40)に対してローラ(60,60)を、該スライド扉(38,40)のスライド方向に位置調節することでスライド扉(38,40)の傾き角度を調整し得るよう構成されている
ことを特徴とする貯蔵庫の扉構造。
【請求項２】
前記開口部(12a)における左右の内周囲に側枠(32,34)が配設されると共に、該左右の側枠(32,34)から所定長さで開口部(12a)側に延出して全閉位置に臨む前記スライド扉(38,40)の対応する側縁部を前側から覆い得る延出部(32a,34a)が両側枠(32,34)の前端縁に上下方向の全長に亘って形成され、前記一対のローラ(60,60)を最も近接するよう位置固定した場合で前記一方のローラ(60)が前記落込部(61)に落着した際に、前記下レール(42)の中央部が下方に最大に撓んだ場合の負荷状態での傾きを相殺し得る角度に前記スライド扉(38,40)が傾くよう設定されると共に、該一対のローラ(60,60)を最も離間するよう位置固定した場合は、前記収納室(22)に貯蔵物等が収納されていない無負荷状態において一方のローラ(60)が落込部(61)に落着した際に、スライド扉(38,40)の一方のローラ(60)側の側縁部が対応する前記延出部(32a,34a)により前側から覆われ僅かな角度で該スライド扉(38,40)が傾くよう設定されている請求項１記載の貯蔵庫の扉構造。
【発明の詳細な説明】
【０００１】
【発明の属する技術分野】
この発明は、貯蔵庫の扉構造に関し、更に詳細には、本体に開設した開口部の内周下部に配設された下レールに対してスライド扉をスライド可能に支持し、このスライド扉により前記開口部を開閉するよう構成した貯蔵庫の扉構造に関するものである。
【０００２】
【従来の技術】
食料品店やコンビニエンスストア等で、食品や飲料品等の貯蔵物を冷蔵状態で収納して陳列する冷蔵ショーケース(貯蔵庫)が好適に使用されている。この冷蔵ショーケースは、内箱と外箱との間にウレタン等の発泡断熱材を充填してなる本体としての断熱箱体の内部に、前記貯蔵物の収納室が画成される。また断熱箱体の前部には、前方に開放する矩形状の開口部が開設され、この開口部の内周上部および下部に配設された上レールおよび下レール間に、該開口部を開閉する前および後のスライド扉がスライド可能に支持されている。
【０００３】
前記スライド扉は、矩形状の枠体の内側に透明なガラス板を嵌め込んで構成されるものであって、その枠体下部には、スライド扉におけるスライド方向の両端部近傍にローラが夫々回動可能に配設され、これら一対のローラを前記下レールに対して移動可能に載置することで、当該スライド扉がローラを介して下レールに沿ってスライドするよう構成されている。
【０００４】
【発明が解決しようとする課題】
前記収納室に貯蔵物を収納した際に、特に収納室中央部に棚柱が設置されるタイプでは、その荷重が断熱箱体の中央部に加わるため、これによって前記下レールの中央部も下方に撓むことがある。この場合、収納室に貯蔵物が収納されていない無負荷状態において、前記下レールに対してスライド扉が傾いていない正しい姿勢で取付けられていると、前記下レールが撓むのに伴ってスライド扉も傾いてしまう。このようにスライド扉の下レール中央側が下がるよう傾くと、扉上部は開口部内側縁から離間して隙間が発生する。この開口部内側縁にはサイドレールが配設されてスライド扉の前面側をある程度は覆っているが、傾きが大きくなると扉上部の隙間も広がって正面から見えるようになってしまうと共に、収納室からの冷気洩れを生ずる。
【０００５】
そこで、発明者は前記問題の解決策を求めて模索したところ、無負荷状態において、負荷状態となったときに発生する傾きを相殺し得る逆方向にスライド扉を予め傾かせることで対応し得ることを知見するに至った。すなわち、下レールに落込部を設け、無負荷状態においてスライド扉で開口部を全閉した際に、該扉における開口部内側縁に近接する側のローラを落込部に落着させることで、負荷状態において傾動する向きとは逆向きにスライド扉を予め傾かせるようにした。
【０００６】
この場合に、冷蔵ショーケースに対する最大負荷、すなわち下レール中央部が最大に撓んだ場合を想定して、前記スライド扉に対するローラの配設位置を決めて無負荷状態での傾き角度を設定していた。しかるに、当該冷蔵ショーケースが実際に使用される状況は様々であり、特に無負荷に近い状態で使用される際には、予め付与している傾きによって扉下部と開口部内側縁との間に大きな隙間が生じてしまい、この隙間からの冷気洩れにより冷却効率が低下するおそれがあり、これを如何に解決するかが新たな課題となっていた。
【０００７】
【発明の目的】
本発明は、前述した従来の技術に内在している前記課題に鑑み、これを好適に解決するべく提案されたものであって、使用状況に応じてローラの配設位置を調節することで、スライド扉と開口部内側縁との間に生ずる隙間を低減し、冷気洩れによる冷却効率の低下を防止し得る貯蔵庫の扉構造を提供することを目的とする。
【０００８】
【課題を解決するための手段】
前記課題を克服し、所期の目的を達成するため、本発明に係る貯蔵庫の扉構造は、
左右方向に離間する一対のローラが下部に回動可能に配設されたスライド扉が、本体に開設した開口部の内周下部に配設されて左右方向に延在する下レールに前記ローラを介してスライド可能に支持され、該スライド扉を下レールに沿って左右方向へスライドすることで前記開口部を開閉するよう構成した貯蔵庫において、
前記下レールには、前記開口部に対する全閉位置に臨むスライド扉における開口部の左右何れか一方の内縁側に近接する一方のローラのみが落着する落込部が形成され、
前記本体に内部画成された収納室に貯蔵物等が収納されていない無負荷状態で、前記一方のローラのみが落込部に落着したときのスライド扉は、前記収納室に貯蔵物等が収納されて負荷状態となったときに前記下レールが下方に撓むことで該スライド扉が傾動する向きとは逆向きであるスライド扉における一方のローラ側の上部端が前記開口部における前記一方の内縁側に近接する向きに所定角度で傾くよう設定され、
前記スライド扉に対してローラを、該スライド扉のスライド方向に位置調節することでスライド扉の傾き角度を調整し得るよう構成されていることを特徴とする。
【０００９】
【発明の実施の形態】
次に、本発明に係る貯蔵庫の扉構造につき、好適な実施例を挙げて、添付図面を参照しながら以下説明する。図１は、実施例に係るスライド扉の要部を概略的に示すものであり、図２および図３は、実施例に係る貯蔵庫としての冷蔵ショーケースの全体構成を示すものである。
【００１０】
図２および図３に示す如く、実施例に係る冷蔵ショーケース１０は、内装板と外装板との間にウレタン等の発泡断熱材を充填してなる本体としての断熱箱体１２と、該箱体１２が載置されるシャーシ１４とから基本的に構成される。またシャーシ１４の内部に画成された機械室に、圧縮機や凝縮器等からなる冷凍装置１６が収納されている。
【００１１】
前記断熱箱体１２の内部上方に、前記冷凍装置１６から冷媒が循環供給される冷却器１８や冷気循環装置２０等が配設され、冷気循環装置２０により送気される冷気によって断熱箱体１２に内部画成した収納室２２を冷却するよう構成されている。また収納室２２には、食品や飲料品等の貯蔵物が整列載置される棚部材２４が上下方向に多段的に配設される。なお、収納室２２の幅方向(図２の左右方向)の中央に棚柱２６が立設され、該棚柱２６に着脱可能に取付けた棚受金２８によって、前記棚部材２４が水平姿勢で取付けられるようになっている。
【００１２】
前記断熱箱体１２の前部には、前方に開放する矩形状の開口部１２ａが形成され、この開口部１２ａの内周囲に、上枠３０、側枠３２,３４および下枠３６が配設されている。そして、上枠３０と下枠３６とに、前および後のスライド扉３８,４０が夫々左右方向にスライド可能に支持されて、開口部１２ａを開閉し得るよう構成してある。前記下枠３６は、図５に示す如く、その底板３６ａの上面に前後方向に離間して２本の下レール４２,４２が立設されて、夫々が長手方向(左右方向)に平行に延在している。そして、各レール４２に、対応するスライド扉３８,４０がその下部に配設した後述する一対のローラ６０,６０を介してスライド可能に支持されるようになっている。なお、底板３６ａの前端縁には、立上がり部３６ｂが長手方向の全長に亘って立設され、該立上がり部３６ｂにより下レール４２によるローラ６０の支持部を前側から見えないよう覆っている。また実施例では、図２に示す如く、前スライド扉３８が開口部１２ａの右側半分を閉成し、後スライド扉４０が開口部１２ａの左側半分を閉成するよう構成してある。
【００１３】
前記左右の側枠３２,３４には、その前端縁に所定長さで開口部側(他方の側枠側)に延出する延出部３２ａ,３４ａが上下方向の全長に亘って形成され、前記対応するスライド扉３８,４０を開口部１２ａに対する全閉位置に臨ませた際に、該扉３８,４０の対応する側縁部を前側から覆い得るよう構成される。
【００１４】
前記前後に位置する２枚のスライド扉３８,４０の基本的な構成は同じであるので、図２において右側に位置する前スライド扉３８の構成につき説明し、左側に位置する後スライド扉４０の同一部材には同じ符号を付して示し、その詳細説明は省略する。
【００１５】
前記前スライド扉３８は、図４または図５に示す如く、ガラスや合成樹脂等から形成される透明な矩形状の２枚の平板材からなる透視体４４と、該透視体４４の左右および上下の外周囲に配設された合成樹脂製の枠体４６とから構成されている。前スライド扉３８は、前記開口部１２ａの右半分を略閉成可能な寸法に設定され、枠体４６の右側端を前記右側枠３４の内側面に当接することで開口部１２ａを閉成するようになっている(全閉位置)。枠体４６は、透視体４４の左右側の外縁部に配設された左枠材４６ａと右枠材４６ｂ、および透視体４４の上下側の外縁部に配設された上枠材４６ｃと下枠材４８とから構成される。なお、前スライド扉３８の右枠材４６ｂ(後スライド扉４０では左枠材４６ａには、前方に突出する取っ手５０が上下方向に所要長さで形成されている。
【００１６】
前記枠体４６を構成する下枠材４８には、図５に示す如く、下方に開放する角溝５１が下レール４２の延在方向である長手方向(左右方向)の全長に亘って形成され、該角溝５１の下端近傍の下レール４２と交差する方向に対向する前後の内面に、内側に所定長さで突出する凸部５２,５２が、左右の側端から長手方向に所要長さに亘って下レール４２と平行に延在するよう突設されている。そして、角溝５１の底部５１ａと両凸部５２,５２との間に画成される空間に、後述する複数(実施例では２つ)のローラ組５４が着脱可能に収納されるよう構成される。
【００１７】
前記下枠材４８の角溝５１は、長手方向(下レール４２の延在方向両側端)の両側端が開放し、その側端開放部から前記ローラ組５４が空間に収納されるようになっている。また角溝５１における底部５１ａの上側に画成されている隙間には、図６に示す如く、Ｌ字形状に形成された固定金具５５の一方の片部５５ａが側端開放部から挿入されて、ローラ組５４を位置決め固定するネジ５６を対応するネジ孔５５ｃに螺挿することで、該片部５５ａは底部５１ａに載置された状態で固定される。なお、固定金具５５の他方の片部５５ｂは、下枠材４８の側端開放部を閉成するよう位置すると共に、該片部５５ｂに右枠材４６ｂの下部をネジ５７を介して固定するよう構成される。
【００１８】
前記下枠材４８に配設されるローラ組５４は、図１に示す如く、矩形状の平板をコ字状に折曲げ形成した取付部材５８と、該取付部材５８に支持軸５９を介して回動可能に軸支されるローラ６０とから構成される。取付部材５８の前後に対向する垂直板５８ａ,５８ａには、その下端縁の所要位置に下方(凸部５２側)に開放するＵ字状の受部５８ｂ,５８ｂが形成されており、ローラ６０の中心通孔６０ａに挿通した支持軸５９の該ローラ６０から突出する両軸端部５９ａ,５９ａが、長手方向(左右方向)への移動を規制された状態で両受部５８ｂ,５８ｂに支持されるよう構成される。なお、受部５８ｂの深さ寸法は、支持軸５９における軸端部５９ａの直径と略同一に設定される。また取付部材５８の両垂直板５８ａ,５８ａの間に臨む水平板５８ｃには、その長手方向(スライド扉３８,４０のスライド方向)に所定長さで延在する複数(実施例では２つ)の長孔５８ｄが、長手方向に所定間隔離間して穿設されている。
【００１９】
前記取付部材５８の高さ寸法は、前記下枠材４８における角溝５１の底部５１ａと凸部５２,５２との離間距離と略同一に設定され、該取付部材５８を、その水平板５８ｃが底部５１ａと対向する姿勢となるよう角溝５１の側端開放部から空間に収納した際に、その垂直板５８ａ,５８ａの下端が凸部５２,５２と対向して当接するよう構成される(図６参照)。そしてこの状態で、前記支持軸５９の両軸端部５９ａ,５９ａが、受部５８ｂ,５８ｂによって長手方向への移動が規制されると共に、該受部５８ｂ,５８ｂの開放側に位置する凸部５２,５２で受けられて抜止めされるようになっている。
【００２０】
前記下枠材４８における角溝５１の底部５１ａには、取付部材５８における水平板５８ｃに設けられた各長孔５８ｄと対応する位置に通孔５１ｂが穿設されており、両孔５８ｄ,５１ｂに水平板側から挿通したネジ５６を、前記固定金具５５のネジ孔５５ｃに螺挿することで、当該ロール組５４が下枠材４８の取付位置に位置決め固定されるよう構成してある(図６参照)。また両ネジ５６,５６を緩めることで、下枠材４８に対して取付部材５８、すなわちローラ６０の位置を、前スライド扉３８のスライド方向(長手方向)に移動調節し得るようになっている。
【００２１】
前記下枠材４８における両凸部５２,５２には、図７に示す如く、該下枠材４８の取付位置にローラ組５４を取付けた際に、前記支持軸５９が支持されている位置から離間する部位(側端開放部から離間する部位)に、該支持軸５９の通過を許容する切欠部５２ａ,５２ａが形成されている。また両凸部５２,５２の離間幅は、前記ローラ６０の軸方向寸法より大きく設定され、前記切欠部５２ａ,５２ａに支持軸５９を一致させた状態で、前記角溝５１に対する支持軸５９およびローラ６０の取出しおよび取付けを行ない得るようになっている。
【００２２】
前記下枠３６における下レール４２には、図８に示す如く、右側枠３４に近接する位置に、その頂部位置が他の部分より所定高さだけ低く設定された落込部６１が形成されており、該落込部６１には、前記開口部１２ａに対する全閉位置に臨む前スライド扉３８における右側枠３４に近接する側(開口部の内縁側)に近接する右側(一方)のローラ６０が落着するよう設定されている。そして、この状態で前スライド扉３８は、図９および図１０に示す如く、扉上部右端が、右側枠３４に近接する向き、すなわち扉下部右端が右側枠３４から離間する向きに所定角度で傾くよう設定される。
【００２３】
この前スライド扉３８の傾く向きは、前記収納室２２に収納された貯蔵物等の荷重により下レール４２(下枠３６)における幅方向の中央部が下方に撓んだ場合に該スライド扉３８が傾動する向きとは逆であって、その傾き角度は、該扉３８に配設される一対のローラ６０,６０の配設位置を調節することで変更可能に構成されている。すなわち、一対のローラ６０,６０を最も近接するよう位置固定した際には(図９)、下レール４２の中央部が下方に最大に撓んだ場合の負荷状態での傾きを相殺し得る角度を採り得るようになっている。また、一対のローラ６０,６０を最も離間するよう位置決め固定した際の傾きは僅かに設定され(図１０)、この状態において、右枠材４６ｂの開放端(枠体４６の右側端)が右側枠３４の延出部３４ａより内側(開口部側)にはみ出して大きな隙間が生じないよう設定されている。
【００２４】
なお、前記下レール４２における左側枠３２に近接する位置に、後スライド扉４０に対する落込部６１が形成されており、この落込部６１と後スライド扉４０との関係は、各向きが逆となるだけで、前述した前スライド扉３８の場合と同様である。
【００２５】
【実施例の作用】
次に、実施例に係る扉構造の作用につき、前スライド扉３８の場合で説明する。前記取付部材５８に支持軸５９を介してローラ６０を組付けたロール組５４を、図１に示すようにして、前記下枠材４８の角溝５１における底部５１ａと両凸部５２,５２との間の空間に、側端開放部から収納する。前記取付部材５８の各長孔５８ｄと下枠材４７の対応する通孔５１ｂとを一致させると共に、前記固定金具５５の一方の片部５５ａを底部５１ａの上方の隙間に側端開放部から収納し、その各ネジ孔５５ｃを前記孔５８ｄ,５１ｂと一致させる。この状態で、前記孔５８ｄ,５１ｂに挿通したネジ５６をネジ孔５５ｃに螺挿することで、ローラ組５４は下枠材４７の取付位置に位置決め固定される(図６参照)。
【００２６】
前記下枠材４８に一対のローラ組５４,５４を配設した前スライド扉３８を、そのローラ６０,６０が前記下枠３６の下レール４２に載るようにして開口部１２ａ内に組付ける。この前スライド扉３８により開口部１２ａの右半分を閉成する全閉位置に位置決めしたときに、図９に示す如く、右側のローラ６０が前記落込部６１に落着し、これによって前スライド扉３８は扉上部右端が右側枠３４に近接する向きで傾く。
【００２７】
前記冷蔵ショーケース１０において、前記収納室２２に配設した棚部材２４に貯蔵物を載置して収納すると、その荷重が収納室２２の内底面に加わり、前記下枠３６が下方に撓む。実施例のように棚部材２４を支持するための棚柱２６が収納室２２における左右方向の中央部に設れられているものでは、下枠３６の中央部が下方に撓むことになる。従ってこの場合は、下枠３６の下レール４２にローラ６０,６０を介して支持されている前スライド扉３８が、その扉上部右端が右側枠３４から離間する向きに傾く。しかし実施例では、前スライド扉３８は無負荷状態で、予め負荷状態により傾動する向きとは逆向きに傾くよう設定されているから、両傾きが相殺されて、当該前スライド扉３８は全く傾いていない状態か、あるいは僅かに傾いた状態となり、前記右枠材４６ｂの上下端部と右側枠３４との間に生ずる隙間は小さ抑えられ、前記収納室２２からの冷気洩れによる冷却効果の低下は抑制される。
【００２８】
ここで、冷蔵ショーケース１０が、常に最大量の貯蔵物が収納された状態で使用される場合、僅かな貯蔵物しか収納されずに、無負荷に近い状態で使用される場合等、その使用状況は様々である。従って、その使用状況に応じて、前記前スライド扉３８に配設されている一対のローラ６０,６０の位置を調節することで、常に最良な状態で使用することが可能となる。
【００２９】
すなわち、通常は前述したように前記下レール４２が最大に撓むことを前提として一対のローラ６０,６０を位置決めしているため、図９に示すように、無負荷状態での前スライド扉３８の傾き角度は大きく、右枠材４６ｂと右側枠３４との間に生ずる隙間も大きくなっている。従って、このように設定された冷蔵ショーケース１０を無負荷に近い状態で使用すると、下レール４２の撓みは僅かであるため、前スライド扉３８が無負荷状態での傾きを相殺するような逆向きへの傾動は生じず、前記隙間からの冷気洩れによる冷却効率の低下を招くおそれがある。そこで、このときには、前記下枠材４８に対して前記ローラ６０,６０を最も離間させた位置に位置決め固定する。これにより、図１０に示すように右側のローラ６０が前記落込部６１に落着したときにおける前スライド扉３８の傾きは小さく、右枠材４６ｂと右側枠３４との間に生ずる隙間も小さくなるから、冷気洩れによる冷却効率の低下は抑えられる。またこの状態において、前記右枠材４６ｂの開放端は右側枠３４の延出部３４ａにより覆われるよう設定してあるから、冷気洩れの発生を更に抑制し得る。
【００３０】
なお、実施例では扉構造を冷蔵ショーケースに採用した場合で説明したが、本願はこれに限定されるものでなく、冷凍庫や温蔵庫等であってもよい。また扉構造が採用される開口部を有する本体は断熱箱体でなくてもよく、貯蔵物を冷却または加温することなく常温で収容する構成のものであってもよい。
【００３１】
【発明の効果】
以上説明した如く、本発明に係る貯蔵庫の扉構造によれば、収納室に貯蔵物等が収納された負荷状態において下レールが下方に撓むことでスライド扉が所定方向に傾動することを想定して、無負荷状態でスライド扉を予め逆向きに傾くよう構成したから、負荷状態での傾きが相殺されて、使用状態ではスライド扉は略正しい姿勢で使用される。しかも、スライド扉に対してローラを位置調節可能に構成したから、無負荷状態での傾き角度を調節することで、負荷の大小等の使用状況に応じてスライド扉を最適な状態にすることができ、開口部とスライド扉との間に生ずる隙間を最小限に抑えることが可能となり、例えば冷気洩れ等の発生を抑制し得る。
また、ローラを最も離間した位置に位置決め固定した際のスライド扉の傾き角度は、僅かに設定されるので、無負荷状態での開口部とスライド扉との間に生ずる隙間を小さくし得る。更に、この状態において、スライド扉の側縁部が延出部により覆われるよう構成したので、冷気漏れの発生を更に抑制し得る。
【図面の簡単な説明】
【図１】  本発明の実施例に係るスライド扉の要部を分解状態で示す斜視図である。
【図２】  実施例に係る冷蔵ショーケースを一部省略して示す正面図である。
【図３】  実施例に係る冷蔵ショーケースを示す縦断側面図である。
【図４】  実施例に係る前スライド扉を示す一部切欠正面図である。
【図５】  実施例に係る下レールの配設部分を示す縦断側面図である。
【図６】  実施例に係る前スライド扉におけるロール組の取付部位を示す縦断正面図である。
【図７】  実施例に係る前スライド扉を示す要部底面図である。
【図８】  実施例に係る下レールを示す概略正面図である。
【図９】  実施例に係る前スライド扉を示すものであって、一対のローラを最も近づけた場合の無負荷状態での姿勢を示す説明図である。
【図１０】  実施例に係る前スライド扉を示すものであって、一対のローラを最も離間した場合の無負荷状態での姿勢を示す説明図である。
【符号の説明】
１２ 断熱箱体(本体)，１２ａ 開口部，２２ 収納室，３２,３４ 側枠
３２ａ,３４ａ 延出部，３８ 前スライド扉(スライド扉)
４０ 後スライド扉(スライド扉)，４２ 下レール，６０ ローラ，６１ 落込部
【図１】
0003886371.tif 000002
【図２】
0003886371.tif 000003
【図３】
0003886371.tif 000004
【図４】
0003886371.tif 000005
【図５】
0003886371.tif 000006
【図６】
0003886371.tif 000007
【図７】
0003886371.tif 000008
【図８】
0003886371.tif 000009
【図９】
0003886371.tif 000010
【図１０】
0003886371.tif 000011